(57)【要約】【課題】回転しないドラムブラケットの鏡板側開口部内周面と、回転するギヤプレート円筒状外周面との間の摺合わせ面に、ゴム製の屈曲自在なリング状シール材を摺動可能なるように装着して、ドラムブラケット内へ砂塵や泥水が侵入することを防止する。【解決手段】回転しないドラムブラッケト１３の鏡板側開口部１７と、回転するギヤプレート１９の円筒状外周面１９ａ及び鏡板１４との間に、円周方向に沿って、断面逆Ｕ字形のリング状シール材１８及び断面Ｖ字形のリング状シール材２８を摺動可能なるように多段的に設ける。【選択図】図１
0003131344.tif 000002
【実用新案登録請求の範囲】
【請求項１】
ドラム鏡板の外側に突出させた駆動軸の軸端を、機体支持フレームに固定支持されたドラムブラケット内に回転自在に軸支させる締固めローラのドラム支持構造において、
前記駆動軸の軸端が挿通されたドラムブラッケトの鏡板側開口部を閉じるためのギヤプレートの円筒状外周面と、前記ドラムブラッケトの鏡板側開口部の内周面との間に、円周方向に沿って断面逆Ｕ字形のゴム製リング状シール材を、摺動可能なるように配置するとともに、前記ボスの外周部におけるドラムブラッケトのケース背面と鏡板外側面との間に、円周方向に沿って断面Ｖ字形のゴム製リング状シール材を、一方の傾斜シール辺が鏡板側面と面接触しつつ摺動するように配置したことを特徴とする締固めローラのドラム支持構造。
【考案の詳細な説明】
【技術分野】
【０００１】
本考案は、車体の前後に配置された前後一対のローラドラムを、振動させながら地盤を締固めるための締固めローラのドラム支持構造に関するものである。
【背景技術】
【０００２】
従来における締固めローラのドラム支持構造としては、図５に示すように、ローラドラム１と機体２との間に、一端３ａが機体２に固定支持された状態で他端３ｂをドラム１の鏡板４の表面方向へ突出させたドラムブラケット３を設けて、ドラム１の鏡板４の外側に突出させた駆動軸５の軸端５ａを、前記ドラムブラケット３内に回転自在に軸支し、ドラムブラケット３に設けた油圧モータ６の回転を駆動軸軸端５ａに伝えてドラム１を回転するようにした構造が知られている。
【０００３】
このドラム支持構造には、油圧モータ６の回転によりドラム１が回転しても、油圧モータ６を支持するドラムブラッケト３は回転せずに機体２に固定支持されるので、ドラムブラッケト３内に挿通されて回転する駆動軸軸端５ａのギヤプレート９の外周面９ａと、回転しないドラムブラッケト３の鏡板側開口部７の内周面７ａとの間の摺り合わせ面に、ドラムブラケット３の外側に付着した土砂がドラムブラケット３内に侵入することを防止するためのシール材８が、円周方向に沿って摺動自在なるように配置されている。
【０００４】
このシール材８は、回転しないドラムブラッケト３における鏡板側開口部７の内周面７ａに設けられた凹溝７ｂと、ドラムブラケット３の鏡板側開口部７を閉じるための回転するギヤプレート９の円筒状外周面９ａとの間に、フェルト製のリング状シール部材を、円筒状外周面９ａの円周方向に沿って摺動自在に接触するように配置することで構成されている。
【０００５】
上記のローラのドラム支持構造は、回転しないドラムブラッケト３の鏡板側開口部内周面７ａと、回転する駆動軸軸端５ａのギヤプレート円筒状外周面９ａとの間に、フェルト製のリング状シール材８が摺動可能な状態に介装されるので、ドラムブラケット３内に注入されたグリースがシール材８のフェルト繊維内に浸潤されて、鏡板側開口部内周面７ａと、ギヤプレート円筒状外周面９ａとの間を円滑に回転摺動させ、かつ、摺動面の隙間から砂塵や泥水がドラム部分内へ浸入することを防止する。
【考案の開示】
【考案が解決しようとする課題】
【０００６】
しかしながら、上記のような、ドラムブラケット３の鏡板側開口部内周面７ａと、ギヤプレート円筒状外周面９ａとの間の摺合わせ面を、フェルト製のリング状シール材８により摺動可能な状態で遮断するドラム支持構造では、作業時にドラム１が泥水のある路面を頻繁に通過するような使われ方をすると、ローラドラム１は輾圧の為の振動を受けていることもあって、ドラムブラケット３の外側面に付着した泥水の一部が前記摺合わせ面を通してドラムブラケット３内に侵入するという問題があった。
【０００７】
ドラムブラケット５内には泥水が侵入するだけでなく、乾燥した路面を締固める場合には、ドラムブラケット３の外側面に付着した砂塵のうち、油圧モータ６の出力軸ギヤ６ａが内蔵されているドラムブラケット上部背面部分３ｂと、ドラム鏡板４との間の狭い隙間Ａ内に付着した砂塵が、フェルト製のリング状シール材８の繊維間を通過してドラムブラケット３内へ侵入する。
【０００８】
このようにして砂塵や泥土がドラムブラケット３内へ侵入すると、侵入した砂塵や泥土がドラムブラケット３内のグリスと混合して、ギヤとギヤの噛み合わせ面に付着し、表面にきわめて大きな損傷を与えることになって、短期間で部品交換が必要となるという問題点を有している。
【課題を解決するための手段】
【０００９】
本考案は、従来におけるこの種のドラム支持構造の問題点を解決するための手段として、回転しないドラムブラケットの鏡板側開口部内周面と、回転するギヤプレート円筒状外周面との間の摺合わせ面に、ゴム製の屈曲自在なシール材を摺動自在に装着して、ドラムブラケットの外周面に付着した泥土や塵埃が、摺合わせ面を通してドラムブラケット内へ侵入することを防止できるようにしたドラム支持構造を提供する。
【００１０】
本考案に係るドラム支持構造は、そのための具体的手段として、ドラム鏡板の外側に突出させた駆動軸の軸端を、機体支持フレームに固定支持されたドラムブラケット内に回転自在に軸支させる締固めローラのドラム支持構造において、前記駆動軸の軸端が挿通されたドラムブラッケトの鏡板側開口部を閉じるためのギヤプレートの円筒状外周面と、前記ドラムブラッケトの鏡板側開口部の内周面との間に、断面逆Ｕ字形のゴム製リング状シール材を、円周方向に沿って摺動可能なるように配置するとともに、前記断面逆Ｕ字形ゴム製リング状シール材の外側に位置するドラムブラッケトのケース背面と鏡板外側面との間に、円周方向に沿って断面Ｖ字形のゴム製リング状シール材を、一方の傾斜シール辺が鏡板側面と面接触しつつ摺動するように配置したことを特徴とする。
【考案の効果】
【００１１】
この考案のドラム支持構造では、回転しないドラムブラケットの鏡板側開口部内周面と、回転するギヤプレート円筒状外周面との間の摺合わせ面に、断面逆Ｕ字形のゴム製リング状シール材を、屈曲自在な両シール辺がギヤプレート円筒状外周面と円周方向に沿って接触するように設けたので、両シール辺の先端部がギヤプレート円筒状外周面との間に小さな摩擦抵抗で接触し、円滑な回転を期待できるとともに、ドラムの振動に対しても自在に屈曲して対応し、ドラムブラケット外面に付着した砂塵や泥水がドラムブラケット内に侵入することを的確に防止することができる。
【００１２】
さらに、本考案のドラム支持構造では、ドラムブラッケトの鏡板側開口部における断面逆Ｕ字形ゴム製リング状シール材よりも外側に位置するブラケットケース背面と鏡板外側面との間に、円周方向に沿って断面Ｖ字形のゴム製リング状シール材を、一方の傾斜シール辺が鏡板側面と面接触しつつ摺動するように配置したので、この一方の傾斜シール辺がブラケットケース背面と鏡板外側面との間の隙間を閉じることになり、ドラムブラケットの背面部分５ｂと鏡板外周面４との間の狭い隙間Ａ内に付着した砂塵や泥土が、Ｖ型シール辺上に蓄積されて、ブラケットケース背面と鏡板外側面との間の隙間内より内側の断面逆Ｕ字形シール材の方向へ侵入することを防止する。
【００１３】
上記のように本考案のドラム支持構造は、回転しないドラムブラケットの鏡板側開口部内周面と、回転するギヤプレート円筒状外周面との間の摺合わせ面に、屈曲自在なシール辺をもつ断面逆Ｕ字形のゴム製リング状シール材と、ブラケットケース背面と鏡板外側面との間に、断面Ｖ字形のゴム製リング状シール材とを多段的に設けたので、それぞれのシール材のシール辺がドラムの振動に具合よく屈曲して対応し、砂塵や泥土の侵入を確実に遮断することができ、その結果、従来よりこの種のローラの課題とされてきた砂塵／泥土がドラムブラケット内に侵入してグリスと混合し、ギヤの表面を磨耗損傷するという弊害を的確に解消し、耐久性のある締固めローラを提供することができる。
【考案を実施するための最良の形態】
【００１４】
このドラム支持構造では、回転しないドラムブラケットの鏡板側開口部内周面と、回転するギヤプレート円筒状外周面との間の摺合わせ面に、断面逆Ｕ字形のゴム製リング状シール材を設けたので、このシール材だけでも砂塵や泥土のドラムブラケット内への侵入を防止することができるが、さらに、このシール材の外側に位置するブラケットケース背面と鏡板外側面との間に、断面Ｖ字形のゴム製リング状シール材を多段的に設けることで、砂塵や泥土のドラムブラケット内への侵入防止作用を効果的なものとすることができる。
【実施例】
【００１５】
次に、このドラム支持構造を図面に示す実施例により説明すると、図１は油圧モータ１６による駆動力を受ける側のローラドラム１１内の構成を示す部分断面図であり、このドラム支持構造は、図２及び図３に示すドラム１１内に設けられている。
【００１６】
図３及び図４に示すように、エンジンや油圧ポンプなどの装置を搭載した機体１２の下部には、ドラム１１の上部両側部分を固定支持するためのドラム支持フレーム２０が設けられていて、図１に示すように、このドラム支持フレーム２０の裏面と、ドラム１１の開口端１１ａから奥まった位置に設けられている鏡板１４との間に、機体１２をドラム１１に支持するためのドラムブラケット１３が設けられている。
【００１７】
このドラムブラケット１３の鏡板１４側の背面には、駆動軸１５の軸端１５ａが挿通するための開口部１７が、内周にボス２５を備えるように設けられていて、この開口部１７内に挿通された駆動軸軸端１５ａがドラムブラケット１３内に設けられたベアリング２１に軸架されている。
【００１８】
また、ドラムブラケット１３の上部一端には、油圧モータ１６が設けられていて、このドラムブラケット１３の上方内部に、前記油圧モータ１６により回転する出力軸ギヤ２２が設けられているとともに、前記ベアリング２１に軸架された駆動軸端１５ａには前記出力軸ギヤ２２と係合する入力軸ギヤ２３が設けられている。
【００１９】
この入力軸ギヤ２３は、鏡板１４の外側面に固定された台座２４にボルト２９を介して固定されるが、台座２４に入力軸ギヤ２３をボルト止めする前に、台座２４と入力軸ギヤ２３との間に、ドラムブラケット１３の鏡板１４側背面に開設された開口部１７を閉じるためのギヤプレート１９が取付けられている。
【００２０】
このギヤプレート１９は、外縁に設けた円筒状の外周面１９ａが、ドラムブラケット開口部１７の内周面１７ａに摺動可能なるように嵌め込まれて、ドラムブラケット１３の鏡板１４側背面が前記ギヤプレート１９の円筒状外周面１９ａにより支持されるようになっている。
【００２１】
前記のように、台座２４と入力軸ギヤ２３との間に、ギヤプレート１９が配置された状態で入力軸ギヤ２３を台座２４にボルト止めすると、ギヤ２２，２３の回転により、ギヤプレート１９が回転しながら、固定されたドラムブラケット１３の背面開口部１７を支持してドラム１１に回転を伝える。
【００２２】
ドラムブラッケト１３の鏡板側開口部１７内に嵌め込まれるギヤプレート１９の円筒状外周面１９ａと、ドラムブラッケト１３の開口部内周面１７ａとの間の円周方向に沿った位置に、断面逆Ｕ字形のゴム製リング状シール材１８が摺動可能なるように設けられている。
【００２３】
図２に示すように、ドラムブラッケト１３の開口部内周面１７ａには、前記シール材１８の基端部１８ａを埋め込むための凹溝２６が内周方向に沿って凹設されていて、基端部１８ａがこの凹溝２６内に嵌め込まれて、開口部内周面１７ａに固定された状態で、両側のシール辺１８ｂ，１８ｃの先端がギヤプレート円筒状外周面１９ａと屈曲自在に接触しながら摺動し、ドラムブラッケト１３の外部に付着した砂塵や泥水がドラムブラッケト１３の内部へ侵入すること防止する。
【００２４】
さらに、ドラムブラッケト１３の開口部１７におけるボス２５の外側部には、ドラムブラッケト１３のケース背面側へ食い込む凹溝２７を設けて、この凹溝２７と鏡板１４の外側面との間の円周方向に沿った位置に、断面Ｖ字形のゴム製リング状シール材２８を、一方の傾斜シール辺２８ａが鏡板１４の側面と屈曲自在に面接触しながら摺動するように設け、ドラムブラッケト１３のケース背面側に付着した砂塵や泥水が、内側の断面逆Ｕ字形ゴム製リング状シール材１８の方向へ侵入することを防止するようになっている。
【産業上の利用可能性】
【００２５】
本考案のドラム支持構造では、回転しないドラムブラッケト１３の鏡板側開口部１７と、回転するギヤプレート１９の円筒状外周面１９ａ及び鏡板１４との間に、ゴム製の断面逆Ｕ字形リング状シール材１８及び断面Ｖ字形リング状シール材２８を多段的に設けるので低廉な費用により、砂塵や泥水の侵入を的確に防止できるドラム支持構造を提供することができ。
【図面の簡単な説明】
【００２６】
【図１】本考案のドラム支持構造を備えたドラム内の構成を示す断面図。
【図２】図１の一部を拡大した断面図
【図３】本考案のドラム支持構造が設けられる締固めローラの側面図。
【図４】同じく本考案のドラム支持構造が設けられるローラの背面図。
【図５】従来のこの種のドラム支持構造を示す断面図。
【符号の説明】
【００２７】
１１：ローラドラム、
１２：機体、
１３：ドラムブラケット、
１４：鏡板、
１５：駆動軸、
１６：油圧モータ、
１７：開口部、
１８：断面逆Ｕ字形リング状シール材、
１９：ギヤプレート、
２０：ドラム支持フレーム、
２１：ベアリング、
２２：出力軸ギヤ、
２３：入力軸ギヤ、
２４：台座、
２５：ボス、
２６：凹溝、
２７：凹溝、
２８：断面Ｖ字形リング状シール材
【図１】
0003131344.tif 000003
【図２】
0003131344.tif 000004
【図３】
0003131344.tif 000005
【図４】
0003131344.tif 000006
【図５】
0003131344.tif 000007
【手続補正書】
【提出日】平成19年2月15日(2007.2.15)
【手続補正１】
【補正対象書類名】実用新案登録請求の範囲
【補正対象項目名】全文
【補正方法】変更
【補正の内容】
【実用新案登録請求の範囲】
【請求項１】
ドラム鏡板の外側に突出させた駆動軸の軸端を、機体支持フレームに固定支持されたドラムブラケット内に回転自在に軸支させる締固めローラのドラム支持構造において、
前記駆動軸の軸端が挿通されたドラムブラケットの鏡板側開口部を閉じるためのギヤプレートの円筒状外周面と、前記ドラムブラケットの鏡板側開口部の内周面との間に、円周方向に沿って断面逆Ｕ字形のゴム製リング状シール材を、摺動可能なるように配置するとともに、前記ボスの外周部におけるドラムブラケットのケース背面と鏡板外側面との間に、円周方向に沿って断面Ｖ字形のゴム製リング状シール材を、一方の傾斜シール辺が鏡板側面と面接触しつつ摺動するように配置したことを特徴とする締固めローラのドラム支持構造。
【手続補正２】
【補正対象書類名】明細書
【補正対象項目名】０００３
【補正方法】変更
【補正の内容】
【０００３】
このドラム支持構造には、油圧モータ６の回転によりドラム１が回転しても、油圧モータ６を支持するドラムブラケット３は回転せずに機体２に固定支持されるので、ドラムブラケット３内に挿通されて回転する駆動軸軸端５ａのギヤプレート９の外周面９ａと、回転しないドラムブラケット３の鏡板側開口部７の内周面７ａとの間の摺り合わせ面に、ドラムブラケット３の外側に付着した土砂がドラムブラケット３内に侵入することを防止するためのシール材８が、円周方向に沿って摺動自在なるように配置されている。
【手続補正３】
【補正対象書類名】明細書
【補正対象項目名】０００４
【補正方法】変更
【補正の内容】
【０００４】
このシール材８は、回転しないドラムブラケット３における鏡板側開口部７の内周面７ａに設けられた凹溝７ｂと、ドラムブラケット３の鏡板側開口部７を閉じるための回転するギヤプレート９の円筒状外周面９ａとの間に、フェルト製のリング状シール部材を、円筒状外周面９ａの円周方向に沿って摺動自在に接触するように配置することで構成されている。
【手続補正４】
【補正対象書類名】明細書
【補正対象項目名】０００５
【補正方法】変更
【補正の内容】
【０００５】
上記のローラのドラム支持構造は、回転しないドラムブラケット３の鏡板側開口部内周面７ａと、回転する駆動軸軸端５ａのギヤプレート円筒状外周面９ａとの間に、フェルト製のリング状シール材８が摺動可能な状態に介装されるので、ドラムブラケット３内に注入されたグリースがシール材８のフェルト繊維内に浸潤されて、鏡板側開口部内周面７ａと、ギヤプレート円筒状外周面９ａとの間を円滑に回転摺動させ、かつ、摺動面の隙間から砂塵や泥水がドラム部分内へ浸入することを防止する。
【手続補正５】
【補正対象書類名】明細書
【補正対象項目名】００１０
【補正方法】変更
【補正の内容】
【００１０】
本考案に係るドラム支持構造は、そのための具体的手段として、ドラム鏡板の外側に突出させた駆動軸の軸端を、機体支持フレームに固定支持されたドラムブラケット内に回転自在に軸支させる締固めローラのドラム支持構造において、前記駆動軸の軸端が挿通されたドラムブラケットの鏡板側開口部を閉じるためのギヤプレートの円筒状外周面と、前記ドラムブラケットの鏡板側開口部の内周面との間に、断面逆Ｕ字形のゴム製リング状シール材を、円周方向に沿って摺動可能なるように配置するとともに、前記断面逆Ｕ字形ゴム製リング状シール材の外側に位置するドラムブラケットのケース背面と鏡板外側面との間に、円周方向に沿って断面Ｖ字形のゴム製リング状シール材を、一方の傾斜シール辺が鏡板側面と面接触しつつ摺動するように配置したことを特徴とする。
【手続補正６】
【補正対象書類名】明細書
【補正対象項目名】００１２
【補正方法】変更
【補正の内容】
【００１２】
さらに、本考案のドラム支持構造では、ドラムブラケットの鏡板側開口部における断面逆Ｕ字形ゴム製リング状シール材よりも外側に位置するブラケットケース背面と鏡板外側面との間に、円周方向に沿って断面Ｖ字形のゴム製リング状シール材を、一方の傾斜シール辺が鏡板側面と面接触しつつ摺動するように配置したので、この一方の傾斜シール辺がブラケットケース背面と鏡板外側面との間の隙間を閉じることになり、ドラムブラケットの背面部分５ｂと鏡板外周面４との間の狭い隙間Ａ内に付着した砂塵や泥土が、Ｖ型シール辺上に蓄積されて、ブラケットケース背面と鏡板外側面との間の隙間内より内側の断面逆Ｕ字形シール材の方向へ侵入することを防止する。
【手続補正７】
【補正対象書類名】明細書
【補正対象項目名】００２２
【補正方法】変更
【補正の内容】
【００２２】
ドラムブラケット１３の鏡板側開口部１７内に嵌め込まれるギヤプレート１９の円筒状外周面１９ａと、ドラムブラケット１３の開口部内周面１７ａとの間の円周方向に沿った位置に、断面逆Ｕ字形のゴム製リング状シール材１８が摺動可能なるように設けられている。
【手続補正８】
【補正対象書類名】明細書
【補正対象項目名】００２３
【補正方法】変更
【補正の内容】
【００２３】
図２に示すように、ドラムブラケット１３の開口部内周面１７ａには、前記シール材１８の基端部１８ａを埋め込むための凹溝２６が内周方向に沿って凹設されていて、基端部１８ａがこの凹溝２６内に嵌め込まれて、開口部内周面１７ａに固定された状態で、両側のシール辺１８ｂ，１８ｃの先端がギヤプレート円筒状外周面１９ａと屈曲自在に接触しながら摺動し、ドラムブラケット１３の外部に付着した砂塵や泥水がドラムブラケット１３の内部へ侵入すること防止する。
【手続補正９】
【補正対象書類名】明細書
【補正対象項目名】００２４
【補正方法】変更
【補正の内容】
【００２４】
さらに、ドラムブラケット１３の開口部１７におけるボス２５の外側部には、ドラムブラケット１３のケース背面側へ食い込む凹溝２７を設けて、この凹溝２７と鏡板１４の外側面との間の円周方向に沿った位置に、断面Ｖ字形のゴム製リング状シール材２８を、一方の傾斜シール辺２８ａが鏡板１４の側面と屈曲自在に面接触しながら摺動するように設け、ドラムブラケット１３のケース背面側に付着した砂塵や泥水が、内側の断面逆Ｕ字形ゴム製リング状シール材１８の方向へ侵入することを防止するようになっている。
【手続補正１０】
【補正対象書類名】明細書
【補正対象項目名】００２５
【補正方法】変更
【補正の内容】
【００２５】
本考案のドラム支持構造では、回転しないドラムブラケット１３の鏡板側開口部１７と、回転するギヤプレート１９の円筒状外周面１９ａ及び鏡板１４との間に、ゴム製の断面逆Ｕ字形リング状シール材１８及び断面Ｖ字形リング状シール材２８を多段的に設けるので低廉な費用により、砂塵や泥水の侵入を的確に防止できるドラム支持構造を提供することができる。